(57)【要約】【課題】「Ｔｉｍｅ  ａｎｄ  Ｒａｔｅ」方式のＥＵＬにおいて、効率的にスケジューリング対象の移動局ＵＥを切り替える。【解決手段】本発明に係る無線基地局ＢＴＳは、スケジューリング対象の移動局ＵＥによって通知されたＴＥＢＳに基づいて、移動局ＵＥのバッファが空になる時刻を予測するように構成されている予測部１３と、移動局ＵＥに対して、予測された時刻に基づいて、Ｅ-ＤＰＤＣＨを介したデータ信号の送信を停止するように指示する「Ｚｅｒｏ  Ｇｒａｎｔ」を送信するように構成されている送信部１５とを具備する。【選択図】図３
2010259019.tif 000002
【特許請求の範囲】
【請求項１】
スケジューリング対象の移動局によって通知された該移動局のバッファ内の残留データ量に基づいて、該移動局のバッファが空になる時刻を予測するように構成されている予測部と、
前記移動局に対して、予測された前記時刻に基づいて、高速上り通信用データチャネルを介したデータ信号の送信を停止するように指示する第１スケジューリング許可情報を送信するように構成されている送信部とを具備することを特徴とする無線基地局。
【請求項２】
前記予測部は、前記移動局のバッファ内の残留データ量を「Ｌ」とし、前記第１スケジューリング許可情報が前記無線基地局から送信されてから該移動局において反映されるまでの期間を「Ｔ１」とし、前記データ信号に含まれるパケットの数を「Ｎ」とし、該パケットのサイズを「Ｓ」とし、該データ信号の目標誤り率を「ＢＬＥＲ」とすると、
【数１Ａ】
2010259019.tif 000008
が成立すると判断した時刻から「Ｔ１」以内の時刻に、該移動局のバッファが空になると予測し、前記送信部は、該移動局に対して、前記第１スケジューリング許可情報を送信するように構成されていることを特徴とする請求項１に記載の無線基地局。
【発明の詳細な説明】
【技術分野】
【０００１】
本発明は、無線基地局に関する。
【背景技術】
【０００２】
３ＧＰＰにおいて、「ＥＵＬ（Ｅｎｈａｎｃｅｄ  Ｕｐｌｉｎｋ）」或いは「ＨＳＵＰＡ（Ｈｉｇｈ-Ｓｐｅｅｄ  Ｕｐｌｉｎｋ  Ｐａｃｋｅｔ  Ａｃｃｅｓｓ）」と呼ばれる高速上り通信が規定されている。
【０００３】
ＥＵＬでは、移動局ＵＥが、無線基地局ＮｏｄｅＢに対して、高速上り通信用データチャネル（Ｅ-ＤＰＤＣＨ：Ｅ-ＤＣＨ  Ｄｅｄｉｃａｔｅｄ  Ｐｈｙｓｉｃａｌ  Ｄａｔａ  Ｃｈａｎｎｅｌ）を介して、データ信号（ＭＡＣ-ｅ  ＰＤＵ）を送信するように構成されている。
【０００４】
具体的には、ＥＵＬでは、無線基地局ＮｏｄｅＢが、各時間スロット（ＴＴＩ：Ｔｒａｎｓｍｉｓｓｉｏｎ  Ｔｉｍｅ  Ｉｎｔｅｒｖａｌ）におけるスケジューリング対象の移動局ＵＥを決定し、かかるスケジューリング対象の移動局ＵＥに対して、スケジューリング許可情報（ＡＧ：Ａｂｓｏｌｕｔｅ  Ｇｒａｎｔ、ＲＧ：Ｒｅｌａｔｉｖｅ  Ｇｒａｎｔ）を送信するように構成されている。
【０００５】
そして、各ＴＴＩにおけるスケジューリング対象の移動局ＵＥは、Ｅ-ＤＰＤＣＨを介して、無線基地局ＮｏｄｅＢから受信したスケジューリング許可情報（ＡＧ）に対応するサイズ（ＴＢＳ：Ｔｒａｎｓｐｏｒｔ  Ｂｌｏｃｋ  Ｓｉｚｅ）のＭＡＣ-ｅ  ＰＤＵを送信するように構成されている。
【０００６】
ここで、各ＴＴＩにおけるスケジューリング対象の移動局ＵＥは、かかるＡＧに対応する「Ｅ-ＤＰＤＣＨと一般上り通信用制御チャネル（ＤＰＣＣＨ：Ｄｅｄｉｃａｔｅｄ  Ｐｈｙｓｉｃａｌ  Ｃｏｎｔｒｏｌ  Ｃｈａｎｎｅｌ）との送信電力比（或いは、送信振幅比）」に基づいて決定された送信電力（送信振幅）によって、Ｅ-ＤＰＤＣＨを介してＭＡＣ-ｅ  ＰＤＵを送信するように構成されている。
【０００７】
また、「Ｔｉｍｅ  ａｎｄ  Ｒａｔｅ」方式のＥＵＬでは、１つの移動局ＵＥのみが、各スケジューリング割り当て区間におけるスケジューリング対象の移動局ＵＥとなるように構成されている。
【０００８】
また、「Ｔｉｍｅ  ａｎｄ  Ｒａｔｅ」方式のＥＵＬでは、無線基地局ＮｏｄｅＢは、スケジューリング対象の移動局ＵＥを切り替える際に、現在のスケジューリング対象の移動局ＵＥに対して、「Ｚｅｒｏ  Ｇｒａｎｔ（第１スケジューリング許可情報）」を送信することによって、Ｅ-ＤＰＤＣＨを介したＭＡＣ-ｅ  ＰＤＵの送信を停止させることができるように構成されている。
【先行技術文献】
【特許文献】
【０００９】
【特許文献１】特開２００６-６０７８９号公報
【発明の概要】
【発明が解決しようとする課題】
【００１０】
しかしながら、「Ｔｉｍｅ  ａｎｄ  Ｒａｔｅ」方式のＥＵＬでは、無線基地局ＮｏｄｅＢは、現在のスケジューリング対象の移動局ＵＥのバッファが空になった場合であっても、その旨を示す「ＴＥＢＳ（Ｔｏｔａｌ  Ｅ-ＤＣＨ  Ｂｕｆｆｅｒ  Ｓｔａｔｕｓ）」を受信するまで、スケジューリング対象の移動局ＵＥを切り替えることができず、全ての移動局ＵＥがＭＡＣ-ｅ  ＰＤＵを送信していない期間が発生してしまい、システムの利用効率が低下してしまうという問題点があった。
【００１１】
そこで、本発明は、上述の課題に鑑みてなされたものであり、１つの移動局ＵＥのみが各スケジューリング割り当て区間におけるスケジューリング対象の移動局ＵＥとなるように構成されている高速上り通信において、効率的にスケジューリング対象の移動局ＵＥを切り替えることができる無線基地局を提供することを目的とする。
【課題を解決するための手段】
【００１２】
本発明の第１の特徴は、無線基地局であって、スケジューリング対象の移動局によって通知された該移動局のバッファ内の残留データ量に基づいて、該移動局のバッファが空になる時刻を予測するように構成されている予測部と、前記移動局に対して、予測された前記時刻に基づいて、高速上り通信用データチャネルを介したデータ信号の送信を停止するように指示する第１スケジューリング許可情報を送信するように構成されている送信部とを具備することを要旨とする。
【発明の効果】
【００１３】
以上説明したように、本発明によれば、１つの移動局ＵＥのみが各スケジューリング割り当て区間におけるスケジューリング対象の移動局ＵＥとなるように構成されている高速上り通信において、効率的にスケジューリング対象の移動局ＵＥを切り替えることができる無線基地局を提供することができる。
【図面の簡単な説明】
【００１４】
【図１】本発明の第１の実施形態に係る移動通信システムの全体構成図である。
【図２】本発明の第１の実施形態に係る無線基地局の機能ブロック図である。
【図３】本発明の第１の実施形態に係る移動通信システムの動作を示すシーケンス図である。
【図４】本発明の第１の実施形態に係る無線基地局の動作を示すフローチャートである。
【発明を実施するための形態】
【００１５】
（本発明の第１の実施形態に係る移動通信システムの構成）
図１及び図２を参照して、本発明の第１の実施形態に係る移動通信システムの構成について説明する。
【００１６】
図１に示すように、本実施形態に係る移動通信システムは、無線基地局ＢＴＳと移動局ＵＥとの間で、「Ｔｉｍｅ  ａｎｄ  Ｒａｔｅ」方式のＥＵＬを提供することができるように構成されている。
【００１７】
すなわち、本実施形態に係る移動通信システムでは、無線基地局ＢＴＳと移動局ＵＥとの間で、下りチャネルとして、絶対的許可チャネル（Ｅ-ＡＧＣＨ：Ｅ-ＤＣＨ  Ａｂｓｏｌｕｔｅ  Ｇｒａｎｔ  Ｃｈａｎｎｅｌ）や相対的許可チャネル（Ｅ-ＲＧＣＨ：Ｅ-ＤＣＨ  Ｒｅｌａｔｉｖｅ  Ｇｒａｎｔ  Ｃｈａｎｎｅｌ）等が設定可能であり、上りチャネルとして、高速上り通信用データチャネル（Ｅ-ＤＰＤＣＨ：Ｅ-ＤＣＨ  Ｄｅｄｉｃａｔｅｄ  Ｐｈｙｓｉｃａｌ  Ｄａｔａ  Ｃｈａｎｎｅｌ）や高速上り通信用制御チャネル（Ｅ-ＤＰＣＣＨ：Ｅ-ＤＣＨ  Ｄｅｄｉｃａｔｅｄ  Ｐｈｙｓｉｃａｌ  Ｃｏｎｔｒｏｌ  Ｃｈａｎｎｅｌ）や通常上り通信用制御チャネル（ＤＰＣＣＨ：Ｄｅｄｉｃａｔｅｄ  Ｐｈｙｓｉｃａｌ  Ｃｏｎｔｒｏｌ  Ｃｈａｎｎｅｌ）等が設定可能である。
【００１８】
また、本実施形態に係る移動通信システムでは、無線基地局ＢＴＳは、フェムトセル用無線基地局（ホームセル用無線基地局）であってもよい。
【００１９】
図２に示すように、無線基地局ＢＴＳは、ＨＡＲＱ処理部１１と、ＴＥＢＳ受信部１２と、予測部１３と、スケジューリング部１４と、Ｅ-ＡＧＣＨ送信部１５と、インナーループ送信電力制御部１６と、アウターループ送信電力制御部１７とを具備している。
【００２０】
ＨＡＲＱ処理部１１は、移動局ＵＥによってＨＡＲＱ方式の再送制御を用いてＥ-ＤＰＤＣＨを介して送信された１つ又は複数の固定サイズのＭＡＣ-ｄ  ＰＤＵ（パケット）を含むＭＡＣ-ｅ  ＰＤＵ（データ信号）を受信するように構成されている。
【００２１】
具体的には、ＨＡＲＱ処理部１１は、各ＨＡＲＱプロセスにおいてＭＡＣ-ｅ  ＰＤＵの受信に成功した場合、移動局ＵＥに対してＡＣＫを返送し、各ＨＡＲＱプロセスにおいてＭＡＣ-ｅ  ＰＤＵの受信に失敗した場合、移動局ＵＥに対してＮＡＣＫを返送するように構成されている。
【００２２】
インナーループ送信電力制御部１６は、目標ＳＩＲ（目標受信品質）に基づいて、移動局ＵＥによるＭＡＣ-ｅ  ＰＤＵの送信電力を制御するように構成されている。
【００２３】
例えば、インナーループ送信電力制御部１１は、移動局ＵＥによってＥ-ＤＰＤＣＨを介して送信されたＭＡＣ-ｅ  ＰＤＵの受信ＳＩＲを測定し、かかる受信ＳＩＲが目標ＳＩＲに近づくように、移動局ＵＥにおける当該ＭＡＣ-ｅ  ＰＤＵの送信電力を増減させるためのＴＰＣコマンドを、移動局ＵＥに対して送信するように構成されている。
【００２４】
アウターループ送信電力制御部１３は、所定の再送回数Ｎｔにおける目標誤り率ＢＬＥＲに基づいて、目標ＳＩＲを制御するように構成されている。例えば、アウターループ送信電力制御部１３は、再送回数０（すなわち、初送時）における目標誤り率ＢＬＥＲに基づいて、目標ＳＩＲを制御するように構成されていてもよい。
【００２５】
ＴＥＢＳ受信部１２は、スケジューリング対象の移動局ＵＥによって通知された移動局ＵＥのバッファ内の残留データ量を示すＴＥＢＳを受信するように構成されている。
【００２６】
ここで、ＴＥＢＳは、各移動局によって、スケジューリング情報（ＳＩ：Ｓｃｈｅｄｕｌｉｎｇ  Ｉｎｆｏｒｍａｔｉｏｎ）内の情報要素として通知されるように構成されている。
【００２７】
また、スケジューリング情報は、Ｅ-ＤＰＤＣＨを介して送信されるＭＡＣ-ｅ  ＰＤＵに多重されて送信されるように構成されていてもよい。さらに、スケジューリング情報は、定期的に送信されるように構成されていてもよい。
【００２８】
予測部１３は、ＴＥＢＳ受信部１２によって受信されたＴＥＢＳに基づいて、移動局ＵＥのバッファが空になる時刻を予測するように構成されている。
【００２９】
スケジューリング部１４は、各スケジューリング割り当て区間におけるスケジューリング対象の移動局ＵＥを決定し、決定されたスケジューリング対象の移動局ＵＥに対して送信すべきスケジューリング許可情報を決定するように構成されている。
【００３０】
また、スケジューリング部１４は、予測部１３によって予測されたスケジューリング対象の移動局ＵＥのバッファが空になる時刻に基づいて、スケジューリング対象の移動局ＵＥを切り替えるように決定することができる。
【００３１】
すなわち、スケジューリング部１４は、予測部１３によって予測されたスケジューリング対象の移動局ＵＥのバッファが空になる時刻に基づいて、かかる移動局ＵＥに対して、Ｅ-ＤＰＤＣＨ（高速上り通信用データチャネル）を介したＭＡＣ-ｅ  ＰＤＵ（データ信号）の送信を停止するように指示する「Ｚｅｒｏ  Ｇｒａｎｔ（第１スケジューリング許可情報）」を送信すべきであると決定する。
【００３２】
Ｅ-ＡＧＣＨ送信部１５は、スケジューリング部１４によって決定されたスケジューリング対象の移動局ＵＥに対して、Ｅ-ＡＧＣＨを介して、スケジューリング部１４によって決定されたスケジューリング許可情報（ＡＧ、或いは、「Ｚｅｒｏ  Ｇｒａｎｔ」）を送信するように構成されている。
【００３３】
例えば、予測部１３は、移動局ＵＥのバッファ内の残留データ量を「Ｌ」とし、「Ｚｅｒｏ  Ｇｒａｎｔ」が無線基地局ＢＴＳから送信されてから移動局ＵＥにおいて反映されるまでのＴＴＩ数を「Ｔ１」とし、ＴＴＩ毎に送信されるＭＡＣ-ｅ  ＰＤＵに含まれるＭＡＣ-ｄ  ＰＤＵ（パケット）の数を「Ｎ」とし、ＭＡＣ-ｄ  ＰＤＵのサイズを「Ｓ」とし、後述する目標ＢＬＥＲ（目標誤り率）を「ＢＬＥＲ」とすると、
【数１】
2010259019.tif 000003
【００３４】
が成立すると判断した時刻から「Ｔ１」以内の時刻に、移動局ＵＥのバッファが空になると予測し、Ｅ-ＡＧＣＨ送信部１５は、移動局ＵＥに対して、「Ｚｅｒｏ  Ｇｒａｎｔ」を送信するように構成されていてもよい。
【００３５】
ここで、予測部１３は、「Ｔ１」の間に移動局ＵＥから送信可能なデータ量が「Ｌ」以上であると判断した場合には、かかる時刻から「Ｔ１」以内の時刻に、移動局ＵＥのバッファが空になると予測するように構成されている。
【００３６】
すなわち、予測部１３は、（式Ａ）「Ｌ≦ＴＰＵＴ×Ｔ１」が成立すると判断した場合に、かかる時刻から「Ｔ１」以内の時刻に、移動局ＵＥのバッファが空になると予測するように構成されている。
【００３７】
ここで、「ＴＰＵＴ」は、所定の再送回数以降の再送によって受信に成功したＭＡＣ-ｅ  ＰＤＵを考慮した移動局ＵＥにおけるＭＡＣ-ｄ  ＰＤＵの送信速度、すなわち、無線基地局ＢＴＳにおけるＭＡＣ-ｄ  ＰＤＵの受信速度（スループット）である。
【００３８】
なお、再送回数ｎにおける誤り率Ｐ（ｎ）について、
【数２】
2010259019.tif 000004
【００３９】
が成立する場合、
【数３】
2010259019.tif 000005
【００４０】
によって、無線基地局ＢＴＳにおけるＭＡＣ-ｄ  ＰＤＵの受信速度ＴＰＵＴ（スループット）が算出されるように構成されている。
【００４１】
ここで、「ＴＰＵＴｉｎｉｔ」は、移動局ＵＥにおけるＭＡＣ-ｄ  ＰＤＵの初送速度である。
【００４２】
以下、このように、無線基地局ＢＴＳにおけるＭＡＣ-ｄ  ＰＤＵの受信速度ＴＰＵＴ（スループット）を算出することができる理由について説明する。
【００４３】
例えば、「Ｎｔ＝０」及び「ＢＬＥＲ＝０.３」と設定されている場合に、移動局ＵＥによって１０ＴＴＩに１０個のＭＡＣ-ｄ  ＰＤＵが送信された場合（すなわち、ＭＡＣ-ｅ  ＰＤＵ毎のＭＡＣ-ｄ  ＰＤＵ数が１であり、「ＴＰＵＴｉｎｉｔ＝１×Ｓ」である場合）、無線基地局ＢＴＳは、初送された１０個のＭＡＣ-ｅ  ＰＤＵのうち、７個のＭＡＣ-ｅ  ＰＤＵの受信に成功してＡＣＫを返送し、３個のＭＡＣ-ｅ  ＰＤＵの受信に失敗してＮＡＣＫを返送する。
【００４４】
次に、無線基地局ＢＴＳは、１回目の再送が行われた３個のＭＡＣ-ｅ  ＰＤＵ全ての受信に成功してＡＣＫを返送する。
【００４５】
ここで、無線基地局ＢＴＳは、Ｎｔ回目（例えば、０回目）に再送されたＭＡＣ-ｅ  ＰＤＵの受信に失敗した場合、かかるＭＡＣ-ｅ  ＰＤＵが（Ｎｔ＋１）回目（例えば、１回目）に再送された場合に、これらのＭＡＣ-ｅ  ＰＤＵ全ての受信に成功するものとする。
【００４６】
かかる場合、無線基地局ＢＴＳは、「（ＡＣＫを返送したＭＡＣ-ｅ  ＰＤＵの数）×（ＭＡＣ-ｅ  ＰＤＵに含まれるＭＡＣ-ｄ  ＰＤＵの数）×（ＭＡＣ-ｄ  ＰＤＵのサイズ）/（送信されたＭＡＣ-ｅ  ＰＤＵの総数）」によって、無線基地局ＢＴＳにおけるＭＡＣ-ｄ  ＰＤＵの受信速度ＴＰＵＴ（＝１０×Ｓ/１３）を算出することができる。
【００４７】
したがって、無線基地局ＢＴＳは、「ＴＰＵＴｉｎｉｔ/（Ｎｔ＋ＢＬＥＲ＋１）（＝１×Ｓ/（０＋０.３＋１）＝１０×Ｓ/１３）」によって、無線基地局ＢＴＳにおけるＭＡＣ-ｄ  ＰＤＵの受信速度ＴＰＵＴを算出することができる。
【００４８】
したがって、（式Ａ）及び（式Ｂ）に基づいて、（式１）が導き出される。ここで、「Ｎｔ＝０」であるものとする。
【００４９】
また、Ｅ-ＡＧＣＨ送信部１５は、スケジューリング対象の移動局ＵＥとの間の無線リンクの同期が外れ、高速上り通信が終了した場合に、かかる移動局ＵＥに対して、「Ｚｅｒｏ  Ｇｒａｎｔ」を送信するように構成されていてもよい。
【００５０】
また、Ｅ-ＡＧＣＨ送信部１５は、所定タイマが満了した場合に、かかる移動局ＵＥに対して、「Ｚｅｒｏ  Ｇｒａｎｔ」を送信するように構成されていてもよい。
【００５１】
（本発明の第１の実施形態に係る移動通信システムの動作）
図３及び図４を参照して、本発明の第１の実施形態に係る移動通信システムの動作、特に、発明の第１の実施形態に係る無線基地局ＢＴＳの動作について説明する。
【００５２】
図３に示すように、時刻ｔ１において、現在のスケジューリング対象の移動局ＵＥが、かかる移動局ＵＥのサービングセルを管理している無線基地局ＢＴＳに対して、ＴＥＢＳを含むスケジューリング情報をＭＡＣ-ｅ  ＰＤＵに多重して送信し、時刻ｔ２において、無線基地局ＢＴＳが、かかるスケジューリング情報が多重されたＭＡＣ-ｅ  ＰＤＵを受信する。
【００５３】
ここで、図４に示すように、無線基地局ＢＴＳは、ステップＳ１０１において、受信したＭＡＣ-ｅ  ＰＤＵに多重されているスケジューリング情報内に含まれるＴＥＢＳを取得すると、ステップＳ１０２において、
【数４】
2010259019.tif 000006
【００５４】
が成立するか否かについて判定する。
【００５５】
ここで、「Ｌ」は、移動局ＵＥのバッファ内の残留データ量であり、「Ｎ」は、ＭＡＣ-ｅ  ＰＤＵに含まれるＭＡＣ-ｄ  ＰＤＵの数であり、「Ｓ」は、ＭＡＣ-ｄ  ＰＤＵのサイズであり、「ＢＬＥＲ」は、ＭＡＣ-ｅ  ＰＤＵの目標ＢＬＥＲ（目標誤り率）である。
【００５６】
また、「Ｔ１」は、図３に示すように、「Ｚｅｒｏ  Ｇｒａｎｔ」が無線基地局ＢＴＳから送信される時刻ｔ３と、「Ｚｅｒｏ  Ｇｒａｎｔ」が移動局ＵＥにおいて反映される時刻ｔ５（すなわち、移動局ＵＥにおいてＥ-ＤＰＤＣＨを介したＭＡＣ-ｅ  ＰＤＵの送信を停止する時刻ｔ５）との間の期間である。
【００５７】
上述の（式１）が成立すると判断された場合、無線基地局ＢＴＳは、時刻ｔ３と時刻ｔ５との間の時刻で、移動局ＵＥのバッファが空になると判断し、ステップＳ１０３において、かかる移動局ＵＥに対して、「Ｚｅｒｏ  Ｇｒａｎｔ」を送信する。
【００５８】
一方、上述の（式１）が成立しないと判断された場合、無線基地局ＢＴＳは、時刻ｔ３と時刻ｔ５との間の時刻では、移動局ＵＥのバッファが空にならないと判断し、かかる移動局ＵＥに対して、「Ｚｅｒｏ  Ｇｒａｎｔ」を送信しない。ここで、無線基地局ＢＴＳは、かかる移動局ＵＥに対して、Ｅ-ＡＧＣＨを介してＡＧ送信してもよいし、Ｅ-ＲＧＣＨを介して、ＲＧ（Ｒｅｌａｔｉｖｅ  Ｇｒａｎｔ）を送信してもよい。
【００５９】
（本発明の第１の実施形態に係る移動通信システムの作用・効果）
本発明の第１の実施形態に係る移動通信システムによれば、「Ｔｉｍｅ  ａｎｄ  Ｒａｔｅ」方式のＥＵＬにおいて、無線基地局ＮｏｄｅＢが、現在のスケジューリング対象の移動局ＵＥのバッファが空になった旨を示す「ＴＥＢＳ」を受信する前に、移動局ＵＥのバッファが空になる時刻を予測して、「Ｚｅｒｏ  Ｇｒａｎｔ」を送信することができるため、効率的にスケジューリング対象の移動局ＵＥを切り替えることができる。
【００６０】
以上に述べた本実施形態の特徴は、以下のように表現されていてもよい。
【００６１】
本実施形態の第１の特徴は、無線基地局ＢＴＳであって、スケジューリング対象の移動局ＵＥによって通知された移動局ＵＥのバッファ内の残留データ量を示すＴＥＢＳに基づいて、移動局ＵＥのバッファが空になる時刻を予測するように構成されている予測部１３と、移動局ＵＥに対して、予測された時刻に基づいて、Ｅ-ＤＰＤＣＨ（高速上り通信用データチャネル）を介したＭＡＣ-ｅ  ＰＤＵ（データ信号）の送信を停止するように指示する「Ｚｅｒｏ  Ｇｒａｎｔ（第１スケジューリング許可情報）」を送信するように構成されているＥ-ＡＧＣＨ送信部１５とを具備することを要旨とする。
【００６２】
本実施形態の第１の特徴において、予測部１３は、移動局ＵＥのバッファ内の残留データ量を「Ｌ」とし、「Ｚｅｒｏ  Ｇｒａｎｔ」が無線基地局ＢＴＳから送信されてから移動局ＵＥにおいて反映されるまでの期間を「Ｔ１」とし、ＭＡＣ-ｅ  ＰＤＵに含まれるＭＡＣ-ｄ  ＰＤＵ（パケット）の数を「Ｎ」とし、ＭＡＣ-ｄ  ＰＤＵのサイズを「Ｓ」とし、ＭＡＣ-ｅ  ＰＤＵの目標誤り率を「ＢＬＥＲ」とすると、
【数５】
2010259019.tif 000007
【００６３】
が成立すると判断した時刻から「Ｔ１」以内の時刻に、移動局ＵＥのバッファが空になると予測し、Ｅ-ＡＧＣＨ送信部１５は、移動局ＵＥに対して、「Ｚｅｒｏ  Ｇｒａｎｔ」を送信するように構成されていてもよい。
【００６４】
なお、上述の無線基地局ＢＴＳ及び移動局ＵＥの動作は、ハードウェアによって実施されてもよいし、プロセッサによって実行されるソフトウェアモジュールによって実施されてもよいし、両者の組み合わせによって実施されてもよい。
【００６５】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００６６】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ＢＴＳ及び移動局ＵＥ内に設けられていてもよい。また、かかる記憶媒体及びプロセッサは、ディスクリートコンポーネントとして無線基地局ＢＴＳ及び移動局ＵＥ内に設けられていてもよい。
【００６７】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００６８】
ＢＴＳ…無線基地局
１１…ＨＡＲＱ処理部
１２…ＴＥＢＳ受信部
１３…予測部
１４…スケジューリング部
１５…Ｅ-ＡＧＣＨ送信部
１６…インナーループ送信電力制御部
１７…アウターループ送信電力制御部
ＵＥ…移動局
【図１】
2010259019.tif 000009
【図２】
2010259019.tif 000010
【図３】
2010259019.tif 000011
【図４】
2010259019.tif 000012